(57)【特許請求の範囲】
【請求項１】
アライグマを捕獲するための縦型捕獲箱であって、
前記縦型捕獲箱を構成する基底部と、
前記基底部の周縁に接続され、かつ、前記基底部の前記周縁から離間した部分に侵入口が形成された側壁と、
前記側壁に接続され、かつ、前記基底部に対向して設けられた天面部と、
前記侵入口を前記側壁の外側から開閉するべく、前記天面部と前記侵入口との間に揺動自在に枢設された扉と、
前記扉を開状態に保持する係止手段と、
前記側壁で包囲された内部の前記基底部の上に揺動自在に覆設された踏み板と、
一端が前記係止手段に接続され、他端が前記踏み板に接続された、少なくともワイヤ又は棒のいずれか一方を具備する、接続手段と、
前記基底部と前記踏み板との間に挟装され、前記踏み板と前記基底部とを隔離する方向へ付勢力を付与する弾性部材と、
を備え、
前記侵入口から侵入すべきアライグマが前記踏み板に飛び降りるときの前記踏み板への押圧に応じて、前記踏み板のうちの前記接続手段に接続された部分が前記基底部に近接する方向に揺動し、前記踏み板に接続された前記接続手段が他端方向に引動し、前記接続手段の前記引動に応じて、前記係止手段の係止が解除され、前記扉の前記開状態の前記保持が解除され、前記扉が揺動して閉状態になり、
前記弾性部材の前記付勢力は、重さ２．５ｋｇ以上の鉄球を前記侵入口の下端の高さから前記踏み板へ落としたときに、前記踏み板への押圧により前記扉の前記開状態の前記保持を解除する強さで、かつ、重さ１．２ｋｇ以下の鉄球を前記侵入口の下端の高さから前記踏み板へ落としたときに、前記踏み板への押圧が不足し前記扉を前記開状態に保持する強さであることを特徴とする、縦型捕獲箱。
【請求項２】
アライグマを捕獲するための縦型捕獲箱であって、
前記縦型捕獲箱を構成する基底部と、
前記基底部の周縁に接続され、かつ、前記基底部の前記周縁から離間した部分に侵入口が形成された側壁と、
前記側壁に接続され、かつ、前記基底部に対向して設けられた天面部と、
前記侵入口を前記側壁の外側から開閉するべく、前記天面部と前記侵入口との間に揺動自在に枢設された扉と、
前記扉を開状態に保持する係止手段と、
前記側壁で包囲された内部の前記基底部の上に揺動自在に覆設された踏み板と、
一端が前記係止手段に接続され、他端が前記踏み板に接続された、少なくともワイヤ又は棒のいずれか一方を具備する、接続手段と、
を備え、
前記侵入口から侵入すべきアライグマが前記踏み板に飛び降りるときの前記踏み板への押圧に応じて、前記踏み板のうちの前記接続手段に接続された部分が前記基底部に近接する方向に揺動し、前記踏み板に接続された前記接続手段が他端方向に引動し、前記接続手段の前記引動に応じて、前記係止手段の係止が解除され、前記扉の前記開状態の前記保持が解除され、前記扉が揺動して閉状態になり、
前記天面部、前記側壁又は前記扉は、小動物用脱出口が少なくとも１個形成され、前記小動物用脱出口の外縁は、中心軸を前記外縁の内部に、前記小動物用脱出口の内外方向に有し、前記外縁と同一平面上にある直径２．８ｃｍの円周のうちの少なくとも１つを内包することができる大きさで、かつ、中心軸を前記外縁の内部に、前記小動物用脱出口の内外方向に有し、前記小動物用脱出口の外縁と同一平面上にある直径３．５ｃｍの円周のすべてに接する又は交差する大きさであることを特徴とする、縦型捕獲箱。
【請求項３】
押圧操作に弾性復帰力を有するラバーシートが、前記小動物用脱出口を通して前記縦型捕獲箱の内側から押動自在になるように一辺が固設され、前記小動物用脱出口の外側に覆設されていることを特徴とする、請求項２に記載の縦型捕獲箱。
【発明の詳細な説明】
【技術分野】
【０００１】
本発明は、アライグマの樹洞営巣性を利用した縦型捕獲箱において、アライグマよりも小型のイタチやリス等が縦型捕獲箱に入っても捕獲作用が作動しないようにする機能に関するものである。
【背景技術】
【０００２】
動物が入ると扉が閉まり、それ以後は捕獲作用が機能しない箱型わなにおいて、捕獲対象とする害獣以外の動物がわなに掛かると、わなを仕掛けたことが無駄になり、解放する手間も生じてしまうため、捕獲対象とする害獣以外の動物がわなに入っても、捕獲作用が作動しないようにする機能が求められている。
【０００３】
先行技術に、捕獲しようとする動物の大きさ（重量）に応じて捕獲檻の仕掛けが作動する感度の調整が容易にできる捕獲檻があるが（特許文献１参照）、該捕獲檻は感度の調整機構が踏み板の上にあり、踏み板を吊り下げる機構であるため、構造が複雑で広いスペースを必要とするので、アライグマの樹洞営巣性を利用した縦型捕獲箱のような狭い樹洞を模した箱に設置するのには不適であり、コンパクト化については記載も示唆もされていない。
【０００４】
先行技術に、大きいネズミは所定の位置で、小さく軽いのは更に床板上を奥まで侵入する事によってシーソー機構が働くことにより、体重の軽い小さいネズミから重い大きいものまでの捕獲を可能にしたネズミ取り器があるが（特許文献２参照）、該ネズミ取り器は、捕獲対象とする害獣以外の動物を捕獲しないことを課題としておらず、かかる課題については記載も示唆もされていない。
【先行技術文献】
【特許文献】
【０００５】
【特許文献１】特開２００５−２６１３８１号公報
【特許文献２】特開２００２−２３３２９１号公報
【発明の概要】
【発明が解決しようとする課題】
【０００６】
解決しようとする問題点は、アライグマの樹洞営巣性を利用した縦型捕獲箱において、アライグマよりも小型のイタチやリス等が縦型捕獲箱に入り扉が閉まると、それ以後は捕獲作用が機能しないため、わなを仕掛けたことが無駄になってしまう点である。さらには、誤ってわなに掛かったイタチやリス等を解放する手間が生じる点である。
【課題を解決するための手段】
【０００７】
本発明は、アライグマの樹洞営巣性を利用した縦型捕獲箱において、アライグマよりも小型のイタチやリス等が縦型捕獲箱に入っても捕獲作用が作動しないようにし、また、誤ってわなに掛かったイタチやリス等を自動的に解放する機能を備えることにより、アライグマを効率的に捕獲することを最も主要な特徴とする。
【発明の効果】
【０００８】
本発明のアライグマの樹洞営巣性を利用した縦型捕獲箱は、アライグマよりも小型のイタチやリス等が縦型捕獲箱に入っても捕獲作用が作動せず扉が閉まらないので、アライグマを効率的にを捕獲することができるという利点がある。
【０００９】
万一誤作動が起こり、アライグマよりも小型のイタチやリス等が縦型捕獲箱に入って捕獲作用が作動して扉が閉まっても、アライグマよりも小型のイタチやリス等は通り抜けることができ、かつ、アライグマが通り抜けることを妨げる、小動物用脱出口から脱出することにより、誤って掛かったイタチやリス等を解放する手間を省くことができるという利点がある。
【図面の簡単な説明】
【００１０】
【図１】本発明の実施例１の全体の斜視図
【図２】図１の２−２線から見た断面図
【図３】本発明の実施例２の全体の斜視図
【図４】図３の４−４線から見た断面図
【発明を実施するための形態】
【００１１】
アライグマの樹洞営巣性を利用した縦型捕獲箱において、アライグマよりも小型のイタチやリス等が縦型捕獲箱に入っても捕獲作用が作動しないようにする機能を備え、アライグマを効率的に捕獲するという目的を、基底部面積の小さい縦型捕獲箱で実現できるように、コンパクトに構成した踏み板の構造により実現した。
【００１２】
請求項１に記載の「縦型捕獲箱」は、側壁上方に侵入口が形成された縦長の捕獲箱であり、樹洞を模しているため、樹洞営巣性を有するアライグマが誘引される性質を有するものである。
【００１３】
請求項１に記載の「前記基底部の上に揺動自在に覆設された踏み板」は、枢着されているか否かを問わない。枢着されていなくても、該「踏み板」の一辺が請求項１に記載の「基底部」及び「側壁」に接して、該「踏み板」の反対側の辺が請求項１に記載の「弾性部材」を介して該「基底部」から離間している場合には、請求項１に記載の「押圧」により、該「踏み板」は揺動するからである。さらにまた、該「踏み板」の一辺が必ずしも該「基底部」に接している必要はなく、該「踏み板」が略水平になるように、該「弾性部材」と同じ高さに、該「側壁」に突起部を設けて載置しても良い。
【００１４】
請求項１に記載の「重さ２．５ｋｇ以上の鉄球」は、捕獲すべきアライグマの体重を意図するものであり、請求項１に記載の「重さ１．２ｋｇ以下の鉄球」は、捕獲作用が作動しないようにすべきイタチやリス等の体重を意図するものである。直接アライグマ等で実験することの困難性に基づく。該「踏み板」の重さ、該「侵入口」の下端の高さ、該「弾性部材」の位置及び請求項１に記載の「係止手段」の摩擦力の各要素を考慮に入れて、捕獲作用が作動するか否かを決定すべき請求項１に記載の「付勢力」を一意に定めるものは、該「重さ２．５ｋｇ以上の鉄球」及び該「重さ１．２ｋｇ以下の鉄球」であると考えられる。なお、重さ１．２ｋｇ超から重さ２．５ｋｇ未満までの鉄球を落とした場合に捕獲作用が作動するか否かは問わないことは言うまでもない。
【実施例１】
【００１５】
図１から図２は、本発明の請求項１の実施例である。図１は、本発明の実施例１の全体の斜視図である。図２は、図１の２−２線から見た断面図である。
【００１６】
本発明の実施例１の縦型捕獲箱は、アライグマを捕獲するための縦型捕獲箱であって、該縦型捕獲箱を構成する基底部１０１と、基底部１０１の周縁に接続され、かつ、基底部１０１の周縁から離間した部分に侵入口１０９が形成された側壁１０２と、側壁１０２に接続され、かつ、基底部１０１に対向して設けられた天面部１０３と、侵入口１０９を側壁１０２の外側から開閉するべく、天面部１０３と侵入口１０９との間に揺動自在に枢設された扉１０４と、扉１０４を開状態に保持する係止手段１０５と、側壁１０２で包囲された内部の基底部１０１の上に揺動自在に覆設された踏み板１０６と、一端が係止手段１０５に接続され、他端が踏み板１０６に接続されたワイヤ１０７と、基底部１０１と踏み板１０６との間に挟装され、踏み板１０６と基底部１０１とを隔離する方向へ付勢力を付与する弾性部材１０８と、を備える。
【００１７】
アライグマの樹洞営巣性を利用した縦型捕獲箱において、侵入口１０９から侵入すべきアライグマが踏み板１０６に飛び降りるときの踏み板１０６への押圧に応じて、踏み板１０６のうちのワイヤ１０７に接続された部分が基底部１０１に近接する方向に揺動し、踏み板１０６に接続されたワイヤ１０７が他端方向に引動し、ワイヤ１０７の該引動に応じて、係止手段１０５の係止が解除され、扉１０４の開状態の保持が解除され、扉１０４が揺動して閉状態になる。該閉状態への移行に応じて、自由端方向に付勢され、かつ、固定端方向に引動自在に設けられたラッチ１１０が、ラッチ受け１１１の外縁に当接して引動後、ラッチ受け１１１に嵌入し、扉１０４が該閉状態にロックされる。
【００１８】
弾性部材１０８の該付勢力は、重さ２．５ｋｇ以上の鉄球を侵入口１０９の下端の高さから踏み板１０６へ落としたときに、踏み板１０６への押圧により扉１０４の該開状態の該保持を解除する強さで、かつ、重さ１．２ｋｇ以下の鉄球を侵入口１０９の下端の高さから踏み板１０６へ落としたときに、踏み板１０６への押圧が不足し扉１０４を該開状態に保持する強さであるため、重さ２．５ｋｇ以上のアライグマが踏み板１０６に飛び降りると、踏み板１０６への押圧により扉１０４の該開状態の該保持が解除され、扉１０４が揺動して閉状態になり、該アライグマを捕獲することができ、一方、重さ１．２ｋｇ以下のイタチやリス等が踏み板１０６に飛び降りると、踏み板１０６への押圧が不足し扉１０４の開状態が保持され、引き続きアライグマが捕獲されるまで待機することができ、効率的にアライグマを捕獲することができる。
【００１９】
以上が、請求項１に記載の「縦型捕獲箱」の主な構成である。
【００２０】
万一、イタチやリス等が縦型捕獲箱に入って捕獲作用が作動した場合に、該イタチやリス等を解放する手間を省くという目的を、小動物用脱出口の構造により実現した。
【００２１】
請求項２に記載の「縦型捕獲箱」は、側壁上方に侵入口が形成された縦長の捕獲箱であり、樹洞を模しているため、樹洞営巣性を有するアライグマが誘引される性質を有するものである。
【００２２】
請求項２に記載の「前記基底部の上に揺動自在に覆設された踏み板」は、枢着されているか否かを問わない。枢着されていなくても、該「踏み板」の一辺が請求項２に記載の「基底部」及び「側壁」に接して、該「踏み板」の反対側の辺が請求項２に記載の「接続手段」に吊設されて該「基底部」から離間している場合には、請求項２に記載の「押圧」により、該「踏み板」は揺動するからである。さらにまた、該「踏み板」の一辺が必ずしも該「基底部」に接している必要はなく、該「踏み板」が略水平になるように、該「側壁」に突起部を設けて載置しても良い。
【００２３】
請求項２に記載の「小動物用脱出口」は、アライグマよりも小型のイタチやリス等が通り抜けることができ、かつ、アライグマが通り抜けることを妨げる大きさであることが必要であるため、直径２．８ｃｍから３．５ｃｍの円形の孔であることが望ましく、直径３ｃｍの円形の孔であることが特に望ましい。ただし、孔の形状が円形であることに限定するものではないことは言うまでもない。
【００２４】
請求項３に記載の「押圧操作に弾性復帰力を有するラバーシート」は、イタチやリス等が該小動物用脱出口から縦型捕獲箱に侵入することを妨げ、縦型捕獲箱内部からの押圧操作により脱出することを妨げないようにするものである。
【００２５】
該ラバーシートは、イタチやリス等が縦型捕獲箱内部から該小動物用脱出口の位置を容易に把握できるように、略透明であることが望ましい。
【実施例２】
【００２６】
図３から図４は、本発明の請求項２及び請求項３の実施例である。図３は、本発明の実施例２の全体の斜視図である。図４は、図３の４−４線から見た断面図である。
【００２７】
本発明の実施例２の縦型捕獲箱は、アライグマを捕獲するための縦型捕獲箱であって、該縦型捕獲箱を構成する基底部２０１と、基底部２０１の周縁に接続され、かつ、基底部２０１の周縁から離間した部分に侵入口２０９が形成された側壁２０２と、側壁２０２に接続され、かつ、基底部２０１に対向して設けられた天面部２０３と、侵入口２０９を側壁２０２の外側から開閉するべく、天面部２０３と侵入口２０９との間に揺動自在に枢設された扉２０４と、扉２０４を開状態に保持する係止手段２０５と、側壁２０２で包囲された内部の基底部２０１の上に揺動自在に覆設された踏み板２０６と、一端が係止手段２０５に接続され、他端が踏み板２０６に接続された棒２０７と、を備える。
【００２８】
本発明の実施例２の縦型捕獲箱は、天面部２０３に直径３ｃｍの円形の小動物用脱出口２１２が形成され、小動物用脱出口２１２の外側には、押圧操作に弾性復帰力を有する略透明のラバーシート２１３が、小動物用脱出口２１２を通して該縦型捕獲箱の内側から押動自在になるように一辺が固設され、小動物用脱出口２１２の外側に覆設されている。
【００２９】
踏み板２０６の辺のうち、棒２０７に接続された辺に対向する一辺は、踏み板２０６が略水平になるように、側壁２０２の内側に突設された突起部２０８に載置されている。
【００３０】
アライグマの樹洞営巣性を利用した縦型捕獲箱において、侵入口２０９から侵入すべきアライグマが踏み板２０６に飛び降りるときの踏み板２０６への押圧に応じて、踏み板２０６のうちの棒２０７に接続された部分が基底部２０１に近接する方向に揺動し、踏み板２０６に接続された棒２０７が他端方向に引動し、棒２０７の該引動に応じて、係止手段２０５の係止が解除され、扉２０４の開状態の保持が解除され、扉２０４が揺動して閉状態になる。該閉状態への移行に応じて、自由端方向に付勢され、かつ、固定端方向に引動自在に設けられたラッチ２１０が、ラッチ受け２１１の外縁に当接して引動後、ラッチ受け２１１に嵌入し、扉２０４が該閉状態にロックされる。
【００３１】
イタチやリス等が該縦型捕獲箱に入って捕獲作用が作動した場合であっても、該イタチやリス等は、小動物用脱出口２１２を通り、ラバーシート２１３を押して脱出するため、該イタチやリス等を解放する手間を省くことができる。
【００３２】
一方、捕獲されたアライグマは、小動物用脱出口２１２を通り抜けることができないため、逃げることはない。
【００３３】
以上が、請求項２及び請求項３に記載の「縦型捕獲箱」の主な構成である。
【産業上の利用可能性】
【００３４】
本発明の縦型捕獲箱は、工業的に量産することが可能であり、害獣であるアライグマを効率的に捕獲するのに特に有用である。
【符号の説明】
【００３５】
１０１    基底部
１０２    側壁
１０３    天面部
１０４    扉
１０５    係止手段
１０６    踏み板
１０７    ワイヤ
１０８    弾性部材
１０９    侵入口
１１０    ラッチ
１１１    ラッチ受け
１１２    梯子
１１３    取出し口
１１４    覗き窓
２０１    基底部
２０２    側壁
２０３    天面部
２０４    扉
２０５    係止手段
２０６    踏み板
２０７    棒
２０８    突起部
２０９    侵入口
２１０    ラッチ
２１１    ラッチ受け
２１２    小動物用脱出口
２１３    ラバーシート
２１４    梯子
２１５    取出し口
２１６    覗き窓
【要約】
【課題】アライグマの樹洞営巣性を利用した縦型捕獲箱において、アライグマよりも小型のイタチやリス等が縦型捕獲箱に入っても捕獲作用が作動しないようにする機能を提供する。
【解決手段】侵入口１０９から侵入すべきアライグマが踏み板１０６に飛び降りるときの踏み板１０６への押圧に応じて、踏み板１０６のうちのワイヤ１０７に接続された部分が基底部１０１に近接する方向に揺動し、踏み板１０６に接続されたワイヤ１０７が引動し、ワイヤ１０７の該引動に応じて、係止手段１０５の係止が解除され、扉１０４の開状態の保持が解除され、扉１０４が揺動して閉状態になる。弾性部材１０８の該付勢力は、重さ２．５ｋｇ以上のアライグマが踏み板１０６に飛び降りると、扉１０４が揺動して閉状態になり、一方、重さ１．２ｋｇ以下のイタチやリス等が踏み板１０６に飛び降りると、扉１０４の開状態が保持される強さである。
【選択図】図２【図１】
0005870366.tif 000002
【図２】
0005870366.tif 000003
【図３】
0005870366.tif 000004
【図４】
0005870366.tif 000005